(57)【要約】【課題】他の車両との非衝突時のアンダランプロテクタの変形や損傷を抑制しつつ、車体下方への他の車両のもぐり込みを確実に防止する。【解決手段】アンダランプロテクタ３は、車幅方向に延びる回転軸２３を中心として傾動可能にプロテクタブラケット５に連結される。ブラケット後面部２０は、初期位置から退避方向へのアンダランプロテクタ３の傾動を許容するとともに、初期位置から反退避方向へのアンダランプロテクタ３の傾動を規制し、板ばね２４は、アンダランプロテクタ３を反退避方向へ付勢する。正規位置のアンダランプロテクタ３は、退避方向へ傾動させる外力が入力し、板ばね２４の付勢力に抗して退避方向へ傾動することによって、後斜め上方へ移動する。退避方向へ移動したアンダランプロテクタ３は、上記外力の入力が解除されることにより、板ばね２４の付勢力によって戻り保持される。【選択図】図３
2020040527.tif 000002
【特許請求の範囲】
【請求項１】
車両の前方又は後方の一方の端部下方で車幅方向に延びるアンダランプロテクタのプロテクタ側被支持部を車体側の車体側支持部に連結することにより前記アンダランプロテクタを前記車体側に支持する支持構造であって、
前記車体側支持部を含む車体側要素と、
前記プロテクタ側被支持部を含み、車幅方向に延びる回転軸を中心として傾動可能に前記車体側要素に連結されるプロテクタ側要素と、
所定の初期位置から退避方向への前記プロテクタ側要素の傾動を許容するとともに、前記初期位置から反退避方向への前記プロテクタ側要素の傾動を規制する傾動規制手段と、
前記プロテクタ側要素を前記反退避方向へ付勢する付勢手段と、を備え、
前記アンダランプロテクタは、前記初期位置の前記プロテクタ側要素によって所定の正規位置に配置され、
前記正規位置から前記車両の前方又は後方の他方への前記アンダランプロテクタの移動は、前記反退避方向への前記プロテクタ側要素の傾動を前記傾動規制手段が規制することによって阻止され、
前記正規位置の前記アンダランプロテクタは、前記退避方向へ傾動させる外力が前記プロテクタ側要素に入力し、前記プロテクタ側要素が前記付勢手段の付勢力に抗して前記初期位置から前記退避方向へ傾動することによって、前記一方側の斜め上方へ移動し、
前記正規位置から前記退避方向へ移動した前記アンダランプロテクタは、前記外力の入力が解除されることにより、前記付勢手段の付勢力によって前記正規位置へ戻り、前記付勢手段の付勢力と前記傾動規制手段とによって前記初期位置に保持される
ことを特徴とするアンダランプロテクタの支持構造。
【請求項２】
請求項１に記載の支持構造であって、
前記車体側要素は、前記車体側支持部に固定されるプロテクタブラケットを含み、
前記プロテクタ側被支持部は、前記プロテクタブラケットに傾動可能に連結される
ことを特徴とするアンダランプロテクタの支持構造。
【発明の詳細な説明】
【技術分野】
【０００１】
本開示は、アンダランプロテクタを車体側に支持する構造に関する。
【背景技術】
【０００２】
特許文献１には、バンパ下方の位置のフレーム前にブラケットを固定し、ブラケットに回動軸を介して回動自在に支持板を設け、支持板の前面に補助バンパを設け、補助バンパの下部を下奥側に向かって傾斜する傾斜面としたトラックのフロントアンダプロテクタ装置が記載されている。トラックと、乗用車とが衝突した場合には、補助バンパが乗用車のラジエータグリル付近に当たって、トラックの下方への乗用車のもぐり込みが防止される。
【０００３】
また、従来はトラックが乗り越えていたような大きさの障害物に補助バンパが当たった際には、補助バンパの下側に下奥側に向かって傾斜する傾斜面が形成されているので、障害物に当たった際の障害物から受ける力は斜め上向きの力となり、支持板が回動軸に対して回動することによって、補助バンパは押し上げられて障害物に対して退避した位置となり、トラックは障害物を乗り越えることが可能となる。
【先行技術文献】
【特許文献】
【０００４】
【特許文献１】実開平６−８１１４号公報
【発明の概要】
【発明が解決しようとする課題】
【０００５】
特許文献１の装置では、補助バンパ（アンダランプロテクタ）が障害物に対して退避した位置へ移動可能であるので、他の車両との非衝突時のアンダランプロテクタの変形や損傷を抑制することができる。
【０００６】
しかし、退避方向（斜め上方）へのアンダランプロテクタ（補助バンパ）の移動は特に規制されておらず、走行中の車両の加減速や上下振動等によってもアンダランプロテクタが退避方向へ移動する可能性がある。このため、アンダランプロテクタが斜め上方へ退避したタイミングで乗用車との衝突が発生した場合、車体下方への乗用車のもぐり込みを阻止できないおそれがある。
【０００７】
そこで本開示は、他の車両との非衝突時のアンダランプロテクタの変形や損傷を抑制しつつ、車体下方への他の車両のもぐり込みを確実に防止することが可能なアンダランプロテクタの支持構造の提供を目的とする。
【課題を解決するための手段】
【０００８】
上記目的を達成すべく、本発明の第１の態様は、車両の前方又は後方の一方の端部下方で車幅方向に延びるアンダランプロテクタのプロテクタ側被支持部を車体側の車体側支持部に連結することによりアンダランプロテクタを車体側に支持するアンダランプロテクタの支持構造であって、車体側要素と、プロテクタ側要素と、傾動規制手段と、付勢手段とを備える。
【０００９】
車体側要素は、車体側支持部を含む。プロテクタ側要素は、プロテクタ側被支持部を含み、車幅方向に延びる回転軸を中心として傾動可能に車体側要素に連結される。傾動規制手段は、所定の初期位置から退避方向へのプロテクタ側要素の傾動を許容するとともに、初期位置から反退避方向（退避方向の反対方向）へのプロテクタ側要素の傾動を規制する。付勢手段は、プロテクタ側要素を反退避方向へ付勢する。
【００１０】
アンダランプロテクタは、初期位置のプロテクタ側要素によって所定の正規位置に配置される。正規位置から車両の前方又は後方の他方へのアンダランプロテクタの移動は、反退避方向へのプロテクタ側要素の傾動を傾動規制手段が規制することによって阻止される。正規位置のアンダランプロテクタは、退避方向へ傾動させる外力がプロテクタ側要素に入力し、プロテクタ側要素が付勢手段の付勢力に抗して初期位置から退避方向へ傾動することによって、一方側の斜め上方へ移動する。正規位置から退避方向へ移動したアンダランプロテクタは、上記外力の入力が解除されることにより、付勢手段の付勢力によって正規位置へ戻り、付勢手段の付勢力と傾動規制手段とによって初期位置に保持される。
【００１１】
例えばプロテクタブラケットを介してプロテクタ側被支持部を車体側支持部に連結する場合、プロテクタブラケットを車体側要素に含め、プロテクタブラケットを車体側支持部に固定し、プロテクタ側被支持部（アンダランプロテクタ）をプロテクタブラケットに傾動可能に連結してもよく、反対にプロテクタブラケットをプロテクタ側要素に含め、プロテクタ側被支持部（アンダランプロテクタ）をプロテクタブラケットに固定し、プロテクタブラケットを車体側支持部に傾動可能に連結してもよい。また、プロテクタブラケットを車体側ブラケットとプロテクタ側ブラケットとに分割し、車体側ブラケットを車体側要素に含め、プロテクタ側ブラケットをプロテクタ側要素に含め、車体側ブラケットを車体側支持部に固定し、プロテクタ側被支持部（アンダランプロテクタ）をプロテクタ側ブラケットに固定し、プロテクタ側ブラケットを車体側ブラケットに傾動可能に連結してもよい。
【００１２】
上記構成では、車両の前方又は後方の一方から当該車両よりも車高の低い他の車両が衝突した場合、車体下方への他の車両のもぐり込みは正規位置のアンダランプロテクタによって阻止される。アンダランプロテクタは、傾動規制手段と付勢手段の付勢力とによって正規位置に保持されるので、走行中の車両の加減速や上下振動等によってアンダランプロテクタが意図せずに斜め上方へ退避することを防止することができる。従って、車体下方への他の車両のもぐり込みをアンダランプロテクタによって確実に阻止することができる。
【００１３】
また、路面上の障害物等との接触によってアンダランプロテクタに下方から或いは前方又は後方の他方（フロントアンダランプロテクタの場合には後方、リヤアンダランプロテクタの場合には前方）から意図しない外力が入力した場合、正規位置のアンダランプロテクタは、付勢手段の付勢力に抗して一方側（フロントアンダランプロテクタの場合には前方側、リヤアンダランプロテクタの場合には後方側）の斜め上方へ移動（退避）するので、アンダランプロテクタ及びプロテクタ側要素の変形や損傷を抑制することができる。
【００１４】
本発明の第２の態様は、第１の態様の支持構造であって、車体側要素は、車体側支持部に固定されるプロテクタブラケットを含む。プロテクタ側被支持部は、プロテクタブラケットに傾動可能に連結される。
【００１５】
上記構成では、アンダランプロテクタのプロテクタ側被支持部をプロテクタブラケットに傾動可能に連結しているので、回転軸からアンダランプロテクタの最外端までの距離（アンダランプロテクタが正規位置から斜め上方へ退避する際のアンダランプロテクタの最外端の移動軌跡の半径）を短縮することができ、アンダランプロテクタが車体側と干渉し難い構造とすることができる。
【発明の効果】
【００１６】
本開示によれば、他の車両との非衝突時のアンダランプロテクタの変形や損傷を抑制しつつ、車体下方への他の車両のもぐり込みを確実に防止することができる。
【図面の簡単な説明】
【００１７】
【図１】本発明に係る支持構造を備えた車両の模式側面図である。
【図２】本発明の第１実施形態の支持構造を示す斜視図である。
【図３】図２の側面図である。
【図４】図１の車両が水平路面から傾斜路面へ進行して登坂を開始する際のリヤアンダランプロテクタと水平路面との干渉を示す模式側面図である。
【図５】本発明の第２実施形態の支持構造を示す側面図である。
【図６】本発明の第３実施形態の支持構造を示す側面図である。
【発明を実施するための形態】
【００１８】
以下、本発明の第１実施形態を、図面に基づいて説明する。なお、図中ＦＲは車両前方を、図中ＵＰは車両上方を、図中ＩＮは車幅方向内側をそれぞれ示している。また、以下の説明における前後方向は、車両の前後方向を意味し、左右方向は、車両前方を向いた状態での左右方向を意味する。
【００１９】
図１に示すように、本実施形態に係る車両１は、キャブ２が概ねエンジン（図示省略）より前方に位置するキャブオーバー型の車両であり、車両１の後部には、リヤアンダランプロテクタ（アンダランプロテクタ）３と、リヤアンダランプロテクタ３を車体フレーム４に支持するための左右のプロテクタブラケット５とを備えている。左右のプロテクタブラケット５は、車両１の左右に対称的に設けられ、１本のリヤアンダランプロテクタ３を左右で支持している。なお、リヤアンダランプロテクタ３の左右の支持構造は同様に構成されているため、以下では左側について説明し、右側の説明を省略する。
【００２０】
図２及び図３に示すように、車体フレーム４は、車幅方向の両側で前後方向に延びる左右のサイドメンバ６と、車両１の前端部で車幅方向に延びて左右のサイドメンバ６の前端部を連結するフロントクロスメンバ（図示省略）と、車両１の後端部で車幅方向に延びて左右のサイドメンバ６の後端部を連結するリヤクロスメンバ７とを備える。サイドメンバ６は、車幅方向内側に開口するＵ状断面であり、略垂直に起立して前後方向に延びるサイドメンバ側板部８と、サイドメンバ側板部８の上端縁及び下端縁からそれぞれ車幅方向内側へ延びて相対向するサイドメンバ上板部９及びサイドメンバ下板部１０とを一体的に有する。サイドメンバ６の一部は、車体側支持部１１を構成し、車体側支持部１１は、サイドメンバ６の後端から所定距離前方に配置される。プロテクタブラケット５は、車体側支持部１１のサイドメンバ側板部８に車幅方向外側から重ねられ、複数（本実施形態では４本）のボルト１２によってサイドメンバ側板部８に締結固定される。
【００２１】
リヤアンダランプロテクタ３は、車幅方向に直線状に延びる矩形中空状であり、前後に離間して対向するプロテクタ前面部１３及びプロテクタ後面部１４と、上下に離間して対向するプロテクタ上面部１５及びプロテクタ下面部１６とを一体的に有する。プロテクタ前面部１３は、プロテクタ上面部１５の前端縁とプロテクタ下面部１６の前端縁とを連結し、プロテクタ後面部１４は、プロテクタ上面部１５の後端縁とプロテクタ下面部１６の後端縁とを連結する。リヤアンダランプロテクタ３は、リヤクロスメンバ７の前下方で車幅方向に延び、プロテクタ前面部１３及びプロテクタ後面部１４は、後述する初期位置（図３に実線で示す位置）で前後方向と略直交する。リヤアンダランプロテクタ３の一部は、プロテクタ側被支持部１７を構成し、プロテクタ側被支持部１７は、リヤアンダランプロテクタ３の車幅方向外端よりも車幅方向内側に配置される。リヤアンダランプロテクタ３の両端には、開口を覆うプロテクタカバー（図示省略）が取付けられる。
【００２２】
プロテクタブラケット５は、Ｌ状に曲折する矩形中空状であり、サイドメンバ側板部８に締結固定されて下方へ延びるブラケット上部１８と、ブラケット上部１８の下端から湾曲状に曲折して後方へ延びるブラケット下部１９とを一体的に有する。ブラケット下部１９の後端には、前後方向と略直交する平板状のブラケット後面部２０が固定される。
【００２３】
リヤアンダランプロテクタ３のプロテクタ側被支持部１７のプロテクタ上面部１５は、プロテクタブラケット５のブラケット下部１９の上面部（ブラケット上面部）２１に、ヒンジ２２を介して連結される。ヒンジ２２の回転軸２３は車幅方向に延び、リヤアンダランプロテクタ３は、プロテクタ前面部１３がブラケット後面部２０に後方から当接（面接触）する初期位置（正規位置）から、回転軸２３を中心として後斜め上方（退避方向）へ傾動可能であり、リヤアンダランプロテクタ３の後斜め上方への傾動によって、プロテクタ前面部１３がブラケット後面部２０から離間する。
【００２４】
このように、車体側には、車体側支持部１１及びプロテクタブラケット５を含む車体側要素が車体フレーム４に固定的に設けられ、リヤアンダランプロテクタ３には、プロテクタ側被支持部１７を含むプロテクタ側要素が固定的に設けられる。リヤアンダランプロテクタ３（プロテクタ側被支持部１７）は、回転軸２３を中心として初期位置から退避方向へ傾動可能にプロテクタブラケット５に連結される。ブラケット後面部２０は、初期位置から退避方向へのリヤアンダランプロテクタ３の傾動を許容するとともに、初期位置から反退避方向（前斜め上方）へのリヤアンダランプロテクタ３の傾動を規制する傾動規制手段として機能する。
【００２５】
リヤアンダランプロテクタ３とプロテクタブラケット５との間には、リヤアンダランプロテクタ３を反退避方向へ付勢する板ばね（付勢手段）２４が設けられている。板ばね２４は、ブラケット上面部２１の上面とプロテクタ上面部１５の上面とを跨るように配置され、板ばね２４の一端部（前端部）は、ブラケット上面部２１の上面に固定的に支持され、他端部（後端部）は、プロテクタ上面部１５の上面に近接又は接触する。なお、板ばね２４の後端部をプロテクタ上面部１５の上面に固定的に支持し、前端部をブラケット上面部２１の上面に近接又は接触させてもよい。また、板ばね２４に代えて、コイルばねなどの他の付勢部材を設けてもよい。
【００２６】
リヤアンダランプロテクタ３は、初期位置のプロテクタ側要素（プロテクタ側被支持部１７）によって所定の正規位置（図３中実線で示す位置）に配置される。正規位置から前方へのリヤアンダランプロテクタ３の移動は、反退避方向へのプロテクタ側要素（プロテクタ側被支持部１７）の傾動をブラケット後面部２０が規制することによって阻止される。正規位置のリヤアンダランプロテクタ３は、退避方向へ傾動させる外力がプロテクタ側要素（リヤアンダランプロテクタ３）に入力し、プロテクタ側要素（リヤアンダランプロテクタ３）が板ばね２４の付勢力に抗して初期位置から退避方向へ傾動することによって、図３中二点鎖線で示すように後斜め上方へ移動する。正規位置から退避方向へ移動したリヤアンダランプロテクタ３は、上記外力の入力が解除されることにより、板ばね２４の付勢力によって正規位置へ戻り、板ばね２４の付勢力とブラケット後面部２０とによって初期位置に保持される。
【００２７】
本実施形態によれば、車両１の後方から当該車両１よりも車高の低い他の車両が衝突した場合、車体下方への他の車両のもぐり込みは正規位置のリヤアンダランプロテクタ３によって阻止される。リヤアンダランプロテクタ３は、ブラケット後面部２０と板ばね２４の付勢力とによって正規位置に保持されるので、走行中の車両１の加減速や上下振動等によってリヤアンダランプロテクタ３が意図せずに後斜め上方へ退避することを防止することができる。従って、車体下方への他の車両のもぐり込みをリヤアンダランプロテクタ３によって確実に阻止することができる。
【００２８】
また、路面上の障害物等との接触によってリヤアンダランプロテクタ３に下方又は前方から意図しない外力が入力した場合（例えば、図４に示すように、車両１が水平路面２５から傾斜路面２６へ進行して登坂を開始する際にリヤアンダランプロテクタ３が水平路面２５に当接する場合など）、正規位置のリヤアンダランプロテクタ３は、板ばね２４の付勢力に抗して後斜め上方へ移動（退避）するので、リヤアンダランプロテクタ３及びプロテクタブラケット５の変形や損傷を抑制することができる。
【００２９】
また、リヤアンダランプロテクタ３のプロテクタ側被支持部１７をプロテクタブラケット５に傾動可能に連結しているので、回転軸２３からリヤアンダランプロテクタ３の最外端までの距離（リヤアンダランプロテクタ３が正規位置から後斜め上方へ退避する際のリヤアンダランプロテクタ３の最外端の移動軌跡の半径）を短縮することができ、リヤアンダランプロテクタ３が車体側（例えば車体フレーム４）と干渉し難い構造とすることができる。
【００３０】
次に、本発明第２実施形態について、図５を参照して説明する。なお、第１実施形態と同様の構成については、同一の符号を付してその説明を省略する。
【００３１】
本実施形態では、プロテクタブラケット５のブラケット下部１９を、前側の車体側ブラケット２７と後側のプロテクタ側ブラケット２８とに分割している。車体側には、車体側支持部１１及び車体側ブラケット２７を含む車体側要素が車体フレーム４に固定的に設けられ、リヤアンダランプロテクタ３には、プロテクタ側被支持部１７及びプロテクタ側ブラケット２８を含むプロテクタ側要素が固定的に設けられる。すなわち、車体側ブラケット２７を車体側要素に含め、プロテクタ側ブラケット２８をプロテクタ側要素に含めている。車体側ブラケット２７はブラケット上部１８から連続し、車体側ブラケット２８の後端のブラケット後面部２０には、プロテクタ側被支持部１７のプロテクタ前面部１３（リヤアンダランプロテクタ３）が固定される。
【００３２】
車体側ブラケット２７の後端には、前後方向と略直交する平板状の車体側ブラケット後面部２９が固定され、プロテクタ側ブラケット２８の前端には、初期位置（図５に実線で示す位置）で前後方向と略直交する平板状のプロテクタ側ブラケット前面部３０が固定される。
【００３３】
プロテクタ側ブラケット２８の上面部（ブラケット上面部２１Ｂ）は、車体側ブラケット２７の上面部（ブラケット上面部２１Ａ）に、ヒンジ２２を介して連結される。ヒンジ２２の回転軸２３は車幅方向に延び、リヤアンダランプロテクタ３及びプロテクタ側ブラケット２８は、プロテクタ側ブラケット前面部３０が車体側ブラケット後面部２９に後方から当接（面接触）する初期位置から、回転軸２３を中心として後斜め上方（退避方向）へ傾動可能であり、リヤアンダランプロテクタ３及びプロテクタ側ブラケット２８の後斜め上方への傾動によって、プロテクタ側ブラケット前面部３０が車体側ブラケット後面部２９から離間する。
【００３４】
このように、リヤアンダランプロテクタ３（プロテクタ側被支持部１７）及びプロテクタ側ブラケット２８は、回転軸２３を中心として初期位置から退避方向へ傾動可能に車体側ブラケット２７に連結される。車体側ブラケット後面部２９は、初期位置から退避方向へのリヤアンダランプロテクタ３及びプロテクタ側ブラケット２８の傾動を許容するとともに、初期位置から反退避方向（前斜め上方）へのリヤアンダランプロテクタ３及びプロテクタ側ブラケット２８の傾動を規制する傾動規制手段として機能する。
【００３５】
プロテクタ側ブラケット２８と車体側ブラケット２７との間には、リヤアンダランプロテクタ３及びプロテクタ側ブラケット２８を反退避方向へ付勢する板ばね（付勢手段）２４が設けられている。板ばね２４は、車体側ブラケット２７のブラケット上面部２１Ａの上面とプロテクタ側ブラケット２８のブラケット上面部２１Ｂの上面とを跨るように配置され、板ばね２４の一端部（前端部）は、車体側ブラケット２７のブラケット上面部２１Ａの上面に固定的に支持され、他端部（後端部）は、プロテクタ側ブラケット２８のブラケット上面部２１Ｂの上面に近接又は接触する。なお、板ばね２４の後端部をプロテクタ側ブラケット２８のブラケット上面部２１Ｂの上面に固定的に支持し、前端部を車体側ブラケット２７のブラケット上面部２１Ａの上面に近接又は接触させてもよい。また、板ばね２４に代えて、コイルばねなどの他の付勢部材を設けてもよい。
【００３６】
リヤアンダランプロテクタ３は、初期位置のプロテクタ側要素（プロテクタ側被支持部１７及びプロテクタ側ブラケット２８）によって所定の正規位置（図５中実線で示す位置）に配置される。正規位置から前方へのリヤアンダランプロテクタ３の移動は、反退避方向へのプロテクタ側要素（プロテクタ側ブラケット２８）の傾動を車体側ブラケット後面部２９が規制することによって阻止される。正規位置のリヤアンダランプロテクタ３は、退避方向へ傾動させる外力がプロテクタ側要素（リヤアンダランプロテクタ３又はプロテクタ側ブラケット２８）に入力し、プロテクタ側要素が板ばね２４の付勢力に抗して初期位置から退避方向へ傾動することによって、図５中二点鎖線で示すように後斜め上方へ移動する。正規位置から退避方向へ移動したリヤアンダランプロテクタ３は、上記外力の入力が解除されることにより、板ばね２４の付勢力によって正規位置へ戻り、板ばね２４の付勢力と車体側ブラケット後面部２９とによって初期位置に保持される。
【００３７】
本実施形態によれば、第１実施形態と同様に、車体下方への他の車両のもぐり込みをリヤアンダランプロテクタ３によって確実に阻止するとともに、リヤアンダランプロテクタ３及びプロテクタブラケット５の変形や損傷を抑制することができる。
【００３８】
次に、本発明第３実施形態について、図６を参照して説明する。なお、第１実施形態と同様の構成については、同一の符号を付してその説明を省略する。
【００３９】
本実施形態では、車体側には、車体側支持部１１を含む車体側要素が車体フレーム４に固定的に設けられ、リヤアンダランプロテクタ３には、プロテクタ側被支持部１７及びプロテクタブラケット５を含むプロテクタ側要素が固定的に設けられる。すなわち、プロテクタブラケット５を、車体側要素ではなくプロテクタ側要素に含めている。
【００４０】
ブラケット上部１８は、車体側支持部１１のサイドメンバ側板部８に回転軸３１を中心として回転自在に支持される。回転軸３１は車幅方向に延び、回転軸３１の前下方には、サイドメンバ側板部８から車幅方向外側へ突出するストッパ３２が設けられる。プロテクタブラケット５の後端のブラケット後面部２０には、プロテクタ側被支持部１７のプロテクタ前面部１３（リヤアンダランプロテクタ３）が固定される。
【００４１】
リヤアンダランプロテクタ３及びプロテクタブラケット５は、プロテクタ上部１８がストッパ３２に後方から当接する初期位置から、回転軸３１を中心として後斜め上方（退避方向）へ傾動可能であり、プロテクタ上部１８の前上の端縁１８ａは、退避方向へ傾動する際にストッパ３２と干渉しないように湾曲状に形成されている。
【００４２】
このように、リヤアンダランプロテクタ３（プロテクタ側被支持部１７）及びプロテクタブラケット５は、回転軸３１を中心として初期位置から退避方向へ傾動可能に車体側支持部１１に連結される。ストッパ３２は、初期位置から退避方向へのリヤアンダランプロテクタ３及びプロテクタブラケット５の傾動を許容するとともに、初期位置から反退避方向（前斜め上方）へのリヤアンダランプロテクタ３及びプロテクタブラケット５の傾動を規制する傾動規制手段として機能する。
【００４３】
サイドメンバ側板部８とブラケット上部１８との間には、リヤアンダランプロテクタ３及びプロテクタブラケット５を反退避方向へ付勢するコイルばね（付勢手段）３３が設けられている。回転軸３１は、コイルばね３３の内径部を挿通し、コイルばね３３の一端はサイドメンバ４側に、他端はプロテクタブラケット５側にそれぞれ係止される。なお、コイルばね３３に代えて、板ばねなどの他の付勢部材を設けてもよい。
【００４４】
リヤアンダランプロテクタ３は、初期位置のプロテクタ側要素（プロテクタ側被支持部１７及びプロテクタブラケット５）によって所定の正規位置（図６中実線で示す位置）に配置される。正規位置から前方へのリヤアンダランプロテクタ３の移動は、反退避方向へのプロテクタ側要素（プロテクタブラケット５）の傾動をストッパ３２が規制することによって阻止される。正規位置のリヤアンダランプロテクタ３は、退避方向へ傾動させる外力がプロテクタ側要素（リヤアンダランプロテクタ３又はプロテクタブラケット５）に入力し、プロテクタ側要素がコイルばね３３の付勢力に抗して初期位置から退避方向へ傾動することによって、図６中二点鎖線で示すように後斜め上方へ移動する。正規位置から退避方向へ移動したリヤアンダランプロテクタ３は、上記外力の入力が解除されることにより、コイルばね３３の付勢力によって正規位置へ戻り、コイルばね３３の付勢力とストッパ３２とによって初期位置に保持される。
【００４５】
本実施形態によれば、第１実施形態及び第２実施形態と同様に、車体下方への他の車両のもぐり込みをリヤアンダランプロテクタ３によって確実に阻止するとともに、リヤアンダランプロテクタ３及びプロテクタブラケット５の変形や損傷を抑制することができる。
【００４６】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００４７】
例えば、上記実施形態ではリヤアンダランプロテクタ３の支持構造について説明したが、車両１の前端部の下方で車幅方向に延びるフロントアンダランプロテクタ（アンダランプロテクタ）３４を、リヤアンダランプロテクタ３と同様に支持してもよい。この場合、リヤアンダランプロテクタ３は、初期位置（正規位置）から前斜め上方（退避方向）へ傾動可能に支持され、正規位置から後方へのフロントアンダランプロテクタ３４の移動は、反退避方向へのプロテクタ側要素の傾動を傾動規制手段が規制することによって阻止される。
【産業上の利用可能性】
【００４８】
本発明は、アンダランプロテクタを装備する様々な車両に適用可能である。
【符号の説明】
【００４９】
１：車両
３：リヤアンダランプロテクタ（アンダランプロテクタ）
４：車体フレーム
５：プロテクタブラケット
６：サイドメンバ
７：リヤクロスメンバ
８：サイドメンバ側板部
９：サイドメンバ上板部
１０：サイドメンバ下板部
１１：車体側支持部
１２：ボルト
１３：プロテクタ前面部
１４：プロテクタ後面部
１５：プロテクタ上面部
１６：プロテクタ下面部
１７：プロテクタ側被支持部
１８：ブラケット上部
１９：ブラケット下部
２０：ブラケット後面部
２１，２１Ａ，２１Ｂ：ブラケット上面部
２２：ヒンジ
２３，３１：回転軸
２４：板ばね（付勢手段）
２５：水平路面
２６：傾斜路面
２７：車体側ブラケット
２８：プロテクタ側ブラケット
２９：車体側ブラケット後面部
３０：プロテクタ側ブラケット前面部
３２：ストッパ
３３：コイルばね（付勢手段）
３４：フロントアンダランプロテクタ（アンダランプロテクタ）
【図１】
2020040527.tif 000003
【図２】
2020040527.tif 000004
【図３】
2020040527.tif 000005
【図４】
2020040527.tif 000006
【図５】
2020040527.tif 000007
【図６】
2020040527.tif 000008